(57)【要約】【課題】ポータブル電子デバイスのアクセサリ検出。【解決手段】前記装置に接続されるワイヤレス充電ユニットを備える第２の装置を検出させ、前記第２の装置に関するパラメータを決定させ、前記パラメータにしたがって、前記装置の少なくとも１つの機能を自動的に調整させるように構成されたプロセッサを備える装置。【選択図】図１ｃ
2016519860.tif 000002
【特許請求の範囲】
【請求項１】
プロセッサを備える装置であって、該プロセッサは、
前記装置に接続されるワイヤレス充電ユニットを備える第２の装置を検出することと、
前記第２の装置に関するパラメータを決定することと、前記パラメータにしたがって、前記装置の少なくとも１つの機能を自動的に調整することと、
をさせるように構成される、
装置。
【請求項２】
前記調整することは、前記装置の前記機能を正規化することを含む、請求項１に記載の装置。
【請求項３】
前記第２の装置を検出することは、前記第２の装置の向きの変化を検出することを含む、請求項１または２に記載の装置。
【請求項４】
前記装置は、磁力計を更に備え、前記調整することは、該磁力計を調節することを含む、請求項１ないし３のいずれか１項に記載の装置。
【請求項５】
前記装置は、アンテナを更に備え、前記調整することは、該アンテナをチューニングすることを含む、請求項１ないし４のいずれか１項に記載の装置。
【請求項６】
前記装置は、スピーカを更に備え、前記調整することは、前記スピーカを調節することを含む、請求項１ないし５のいずれか１項に記載の装置。
【請求項７】
前記検出することは、前記第２の装置から前記パラメータを受信することを含む、請求項１ないし６のいずれか１項に記載の装置。
【請求項８】
前記検出することは、測定ユニットから測定情報を受信することを含む、請求項１ないし７のいずれか１項に記載の装置。
【請求項９】
前記検出することは、電気的量を検出することを含む、請求項１ないし８のいずれか１項に記載の装置。
【請求項１０】
前記検出することは、コードを読むことを含む、請求項１ないし９のいずれか１項に記載の装置。
【請求項１１】
前記検出することは、前記第２の装置における要素を検出することを含む、請求項１ないし１０のいずれか１項に記載の装置。
【請求項１２】
前記決定することは、メモリから前記パラメータを読み出すことを含む、請求項１ないし１１のいずれか１項に記載の装置。
【請求項１３】
前記決定することは、メモリから、どこで前記パラメータを読み出すべきかに関する情報を読み出すことを含む、請求項１ないし１２のいずれか１項に記載の装置。
【請求項１４】
前記決定することは、自己較正を含む、請求項１ないし１３のいずれか１項に記載の装置。
【請求項１５】
前記決定することは、測定データに基づいて、前記パラメータを調節することを更に含む、請求項１ないし１４のいずれか１項に記載の装置。
【請求項１６】
携帯電話、スマートフォン、タブレット・コンピュータ、または、電子ブック・リーダを備える請求項１ないし１５のいずれか１項に記載の装置。
【請求項１７】
メモリと、ワイヤレス充電ユニットとを備える装置であって、前記メモリは、前記装置に関するパラメータを含み、前記装置は、請求項１ないし１６のいずれか１項に記載の第１の装置に接続されるように構成される、を備える装置。
【請求項１８】
前記装置は、プロセッサを更に備える請求項１７に記載の装置。
【請求項１９】
前記プロセッサは、請求項１ないし１６のいずれか１項に記載の前記第１の装置に前記パラメータを送信するように構成される、請求項１８に記載の装置。
【請求項２０】
前記ワイヤレス充電ユニットは、コイルとシールドとを備える、請求項１７ないし１９のいずれか１項に記載の装置。
【請求項２１】
前記装置は、前記装置を、請求項１ないし１６のいずれか１項に記載の第１の装置に接続するように構成された接続ユニットを更に備える、請求項１７ないし２０のいずれか１項に記載の装置。
【請求項２２】
前記装置は、カバー、ケース、スキンまたはホイルを備える、請求項１７ないし２１のいずれか１項に記載の装置。
【請求項２３】
請求項１ないし１６のいずれか１項に記載の前記第１の装置と、請求項１７ないし２２のいずれか１項に記載の前記第２の装置と、を備えるシステム。
【請求項２４】
第１の装置に接続されたワイヤレス充電ユニットを備える第２の装置を検出するステップと、前記第２の装置に関するパラメータを決定するステップと、前記パラメータにしたがって、前記第１の装置の少なくとも１つの機能を自動的に調節するステップと、を含む方法。
【請求項２５】
前記調整することは、前記装置の前記機能を正規化することを含む、請求項２４に記載の方法。
【請求項２６】
前記第２の装置を検出することは、前記第２の装置の向きの変化を検出することを含む、請求項２４または２５に記載の方法。
【請求項２７】
前記調整することは、前記第１の装置の磁力計を調節することを含む、請求項２４ないし２６のいずれか１項に記載の方法。
【請求項２８】
前記調整することは、前記第１の装置のアンテナを調整することを含む、請求項２４ないし２７のいずれか１項に記載の方法。
【請求項２９】
前記調整することは、前記第１の装置のスピーカを調節することを含む、請求項２４ないし２８のいずれか１項に記載の方法。
【請求項３０】
前記検出することは、前記第２の装置から前記パラメータを受信することを含む、請求項２４ないし２９のいずれか１項に記載の方法。
【請求項３１】
前記検出することは、測定ユニットから測定情報を受信することを含む、請求項２４ないし３０のいずれか１項に記載の方法。
【請求項３２】
前記検出することは、電気的量を検出することを含む、請求項２４ないし３１のいずれか１項に記載の方法。
【請求項３３】
前記検出することは、コードを読むことを含む、請求項２４ないし３２のいずれか１項に記載の方法。
【請求項３４】
前記検出することは、前記第２の装置に含まれる要素を検出することを含む、請求項２４ないし３３のいずれか１項に記載の方法。
【請求項３５】
前記決定することは、メモリから前記パラメータを読み出すことを含む、請求項２４ないし３３のいずれか１項に記載の方法。
【請求項３６】
前記決定することは、どこでパラメータを読み出すべきかに関する情報をメモリから読み出すことを含む、請求項２４ないし３５のいずれか１項に記載の方法。
【請求項３７】
前記決定することは、自己較正を含む、請求項２４ないし３６のいずれか１項に記載の方法。
【請求項３８】
前記決定することは、測定データに基づいて、前記パラメータを調節することを更に含む、請求項２４ないし３７のいずれか１項に記載の方法。
【請求項３９】
前記第１の装置は、携帯電話、スマートフォン、タブレット・コンピュータ、または、電子ブック・リーダを備える、請求項２４ないし３８のいずれか１項に記載の方法。
【請求項４０】
前記第２の装置を前記第１の装置に接続すること、および／または、前記第２の装置を前記第１の装置とペアにすることを更に備える請求項２４ないし３９のいずれか１項に記載の方法。
【請求項４１】
前記第２の装置は、カバー、ケース、スキンまたはホイルを備える、請求項２４ないし４０のいずれか１項に記載の方法。
【請求項４２】
装置によって実行されるときに、請求項２４ないし４１のいずれか１項に記載の方法を実行させるためのコンピュータ・コードを備えるコンピュータ・プログラム・プロダクト。
【請求項４３】
請求項４２に記載のコンピュータ・プログラムを備える記憶媒体。
【発明の詳細な説明】
【技術分野】
【０００１】
本願発明は、一般に、ポータブル電子デバイスとそのアクセサリに関する。より詳しくは、排他的ではないが、本願発明は、ポータブル電子デバイスのワイヤレス充電のためのカバーに関する。
【背景技術】
【０００２】
ポータブル電子デバイス、例えば、携帯電話、スマートフォン、そして、タブレットは、異なる目的のために、広く使われており、そして、多種多様なアクセサリが、そのようなデバイスのために利用できる。アクセサリは、このデバイスを保護することから、このデバイスに機能を追加することにわたって、いくつかの目的に対応する。
【０００３】
ポータブル電子デバイスの共通のアクセサリは、そのデバイスを保護し、あるいは、そこに、更なる機能を提供するカバーまたはケースである。たとえば、デバイスのワイヤレス充電をインプリメントしているカバーは、ますます、人気になっている。更なる機能の有無にかかわらず適切なカバーは、デバイス自体の優れた品質と機能を保持しながら、ユーザ体験の更なる強化を提供する。
【発明の概要】
【０００４】
本願発明の第１の例示的態様にしたがって、前記装置に接続されるワイヤレス充電ユニットを備える第２の装置を検出させ、前記第２の装置に関するパラメータを決定させ、そして、前記パラメータにしたがって、前記装置の少なくとも１つの機能を自動的に調整させるように構成されるプロセッサを備える装置が提供される。
【０００５】
この調整することは、前記装置の前記機能を正規化することを含むことができる。
【０００６】
第２の装置を検出することは、第２の装置の向きの変化を検出することを含むことができる。
【０００７】
この装置は、更に、磁力計を含むことができ、そして、前記調整することは、その磁力計を調整することを含むことができる。
【０００８】
この装置は、更に、アンテナを含むことができ、そして、前記調整することは、アンテナをチューニングすることを含むことができる。
【０００９】
この装置は、更に、スピーカを含むことができ、そして、前記調整をすることは、そのスピーカを調整することを含むことができる。
【００１０】
前記検出することは、前記第２の装置から前記パラメータを受信することを含むことができる。
【００１１】
前記検出することは、測定ユニットから測定情報を受信することを含むことができる。
【００１２】
前記検出することは、電気的量を検出することを含むことができる。
【００１３】
前記検出することは、コードを読むことを含むことができる。
【００１４】
前記検出することは、第２の装置の要素を検出することを含むことができる。
【００１５】
前記決定することは、メモリから前記パラメータを読み出すことを含むことができる。
【００１６】
前記決定することは、メモリから、どこでパラメータを読み出すべきかについての情報を読み出すことを含むことができる。
【００１７】
前記決定することは、自己較正を含むことができる。
【００１８】
前記決定することは、更に、前記測定データに基づいて、前記パラメータを調節することを含むことができる。
【００１９】
前記装置は、携帯電話、スマートフォン、タブレット・コンピュータ、または、電子ブック・リーダを備えることができる。
【００２０】
本願発明の第２の例示的態様にしたがって、メモリと、ワイヤレス充電ユニットとを備える装置が提供される。ここで、前記メモリは、前記装置に関するパラメータを含み、本願発明の第１の例示的態様にしたがって、前記装置は、第１の装置に接続されるように構成される。
【００２１】
この装置は、更に、プロセッサを備えることができる。
【００２２】
このプロセッサは、本願発明の第１の例示的態様にしたがって、第１の装置にパラメータを送信するように構成することができる。
【００２３】
ワイヤレス充電ユニットは、コイルとシールドとを備えることができる。
【００２４】
前記装置は、更に、本願発明の第１の例示的態様にしたがって、この装置を、第１の装置に接続するように構成される接続ユニットを備えることができる。
【００２５】
この装置は、カバー、ケース、スキンまたはホイルを備えることができる。
【００２６】
本願発明の第３の例示的態様にしたがって、本願発明の第１の例示的態様にしたがう前記第１の装置と、本願発明の第２の例示的態様にしたがう前記第２の装置とを備えるシステムが提供される。
【００２７】
本願発明の第４の例示的態様にしたがって、第１の装置に接続されたワイヤレス充電ユニットを備える第２の装置を検出するステップと、前記第２の装置に関するパラメータを決定するステップと、そして、前記パラメータにしたがって、前記第１の装置の少なくとも１つの機能を自動的に調節するステップと、を含む方法が提供される。
【００２８】
前記調整することは、前記装置の前記機能を正規化することを含むことができる。
【００２９】
第２の装置を検出することは、前記第２の装置の向きの変化を検出することを含むことができる。
【００３０】
前記調整することは、前記第１の装置の磁力計を調節することを含むことができる。
【００３１】
前記調整することは、前記第１の装置のアンテナを調整することを含むことができる。
【００３２】
前記調整することは、前記第１の装置のスピーカを調節することを含むことができる。
【００３３】
前記検出することは、前記第２の装置から前記パラメータを受信することを含むことができる。
【００３４】
前記検出することは、測定ユニットから測定情報を受信することを含むことができる。
【００３５】
前記検出することは、電気的量を検出することを含むことができる。
【００３６】
前記検出することは、コードを読むことを含むことができる。
【００３７】
前記検出することは、前記第２の装置に含まれる要素を検出することを含むことができる。
【００３８】
前記決定することは、メモリから前記パラメータを読み出すことを含むことができる。
【００３９】
前記決定することは、どこでパラメータを読み出すべきかに関する情報をメモリから読み出すことを含むことができる。
【００４０】
前記決定することは、自己較正を備えることができる。
【００４１】
前記決定することは、前記測定データに基づいて、前記パラメータを調節することをさらに含むことができる。
【００４２】
第１の装置は、携帯電話、スマートフォン、タブレット・コンピュータ、または、電子ブック・リーダを備えることができる。
【００４３】
この方法は、前記第２の装置を前記第１の装置に接続すること、および／または、前記第２の装置を前記第１の装置とペアにすることを更に含むことができる。
【００４４】
第２の装置は、カバー、ケース、スキンまたはホイルを備えることができる。
【００４５】
本願発明の第５の例示的態様にしたがって、装置によって実行されるときに、本願発明の第４の態様の方法を実行させるためのコンピュータ・コードを備えるコンピュータ・プログラム・プロダクトが提供される。
【００４６】
本願発明の第６の例示的態様にしたがって、本願発明の第７の態様のコンピュータ・プログラムを備えるメモリ媒体が提供される。
【００４７】
本願発明の異なる拘束力のない例示的態様および実施形態が、上で説明された。上記の実施形態は、本願発明のインプリメンテーションにおいて利用することができる選択された態様またはステップを説明するためだけに用いられたものである。いくつかの実施形態は、本願発明の特定の例示的態様を参照するのみで提示することができる。対応する例示的実施形態は、同様に、他の例示的態様に適用できることが理解されるべきである。
【図面の簡単な説明】
【００４８】
本願発明は、例としてのみで、添付の図面を参照して、記述される。ここで、
【図１ａ】図１ａは、本願発明の例示的実施形態にしたがう、第１の装置の概略正面図を示す。
【図１ｂ】図１ｂは、本願発明の例示的実施形態にしたがう、第１の装置の概略背面図を示す。
【図１ｃ】図１ｃは、本願発明の例示的実施形態にしたがう、第２の装置の概略図を示す。
【図２ａ】図２ａは、本願発明の例示的実施形態にしたがう、第１および第２の装置を備えるシステムの概略図を示す。
【図２ｂ】図２ｂは、本願発明の例示的実施形態にしたがう、第１および第２の装置を備えるシステムの概略図を示す。
【図２ｃ】図２ｃは、本願発明の例示的実施形態にしたがう、第１および第２の装置を備えるシステムの概略図を示す。
【図２ｄ】図２ｄは、本願発明の例示的実施形態にしたがう、第１および第２の装置を備えるシステムの概略図を示す。
【図３】図３は、本願発明の例示的実施形態にしたがう、第１の装置の概略ブロック図を示す。
【図４】図４は、本願発明の例示的実施形態にしたがう、第２の装置の概略ブロック図を示す。
【図５】図５は、本願発明の実施形態にしたがう、方法のフロー・チャートを示す。
【発明を実施するための形態】
【００４９】
本願発明のいくつかの例示的実施形態および考えられる利点は、図１ａ−図５の図面を参照することによってよく理解される。
【００５０】
図１ａは、本願発明の例示的実施形態にしたがう、第１の装置１００の概略正面図を示す。第１の装置１００は、たとえば、携帯電話、スマートフォン、タブレット・コンピュータ、または、電子ブック・リーダ、および／または、他の電子デバイスであることができる。第１の装置１００は、ディスプレイ１０５と、ユーザ・インタフェース要素１１０を備える。例示的実施形態において、ディスプレイ１０５は、タッチ・センシティブ・ディスプレイである。タッチ・センシティブ・ディスプレイ１０５は、例示的実施形態において、その点、または、その近傍におけるユーザのタッチを検出するためのタッチ・センサを備える。例示的実施形態において、タッチ・センサは、抵抗、表面弾性波、容量−表面容量、予測される容量、相互容量、または、自己容量−など、赤外線、光、分散的信号および／または音響パルス認識タッチ・センサ、または、それらのアレイを備える。更なる例示的実施形態において、第１の装置１００は、ユーザ・インタフェース要素１１０に加えて、ハードウェアまたはソフト・ボタンのような更なるユーザ・インタフェース要素、または、更なるディスプレイ・ユニットを備える。更にまた、第１の装置１００は、更なる例示的実施形態において、マイクロフォン、スピーカ、センサまたは、検出器やカメラ・ユニットなど更なる要素から含む（図示せず）。
【００５１】
図１ｂは、本願発明の例示的実施形態にしたがう、第１の装置１００の概略背面図を示す。例示的実施形態において、前記装置は、カメラ・ユニットのレンズ１２５、ＬＥＤやキセノン・フラッシュなどのフラッシュ要素１２０、および／または、装飾的または保護的要素１１５を備える。更にまた、第１の装置１００は、更なる例示的実施形態において、図示されていない更なる要素を備える。
【００５２】
図１は、本願発明の例示的実施形態にしたがう、第２の装置１５０の概略図を示す。第２の装置１５０は、例えば、カバー、ケーシング、ケース、スキンまたはホイル、および／または、他のアクセサリなど第１の装置１００のアクセサリである。第２の装置１５０は、たとえば、その上に配置され、または、まわりに配置されて、第１の装置１００にアタッチされるように構成される。たとえば、スナップ・オンにより、スライドすることにより、磁気により、機械的に、または、その上に伸ばすことにより、アタッチされる。例示的実施形態において、第２の装置１５０は、第１の装置１００の上に、または、そのまわりに、第２の装置１５０をアタッチ、ロック、固定する、または、締めつけるように構成される要素を備える。例えば、第１の装置１００の角にフィットするように構成される要素１８５である。更なる例示的実施形態において、例えば、弾力性がある、または、引き伸ばすことのできる材料のような他の便利な固定手段が使用される。
【００５３】
例示的実施形態において、第２の装置１５０は、レンズ１２５のためのホール１５５、および、フラッシュ要素１２０のためのホール１６０など第１の装置１００の要素に対して適切に配置されるホールまたは押出（ｅｘｔｒｕｓｉｏｎ）を備える。更なる例示的実施形態において、第２の装置１５０は、ワイヤレス充電コイル１８０、および、例えば、フェライト・シールドなどのシールド要素１７０が備える。更なる例示的実施形態において、第２の装置１５０は、センサまたは検出器、通信ユニット、ユーザ・インタフェース要素、または、検出可能な要素など、更なる要素１６５を備え、以下で、より詳細に記載されている。
【００５４】
図２ａは、本願発明の例示的実施形態にしたがう、装置を備えるシステムの概略図を示す。例示的実施形態において、このシステムは、第１の装置２００と第２の装置２５０を備える。第１の装置２００は、たとえば、携帯電話、多機能電話、タブレット・コンピュータ、電子ブック・リーダやその他の電子回路デバイスである。第１の装置２００は、ディスプレイ２１０を備える。例示的実施形態において、ディスプレイ２１０は、タッチ・センシティブ・ディスプレイである。タッチ・センシティブ・ディスプレイ２１０は、例示的実施形態において、その点、または、その近傍におけるユーザのタッチを検出するためのタッチ・センサを備える。例示的実施形態において、タッチ・センサは、抵抗、表面弾性波、表面の容量予測される容量、相互容量、または、自己容量などの容量、赤外線、光、分散的信号および／または音響パルス認識タッチ・センサ、または、それらのアレイを備える。更なる例示的実施形態において、第２の装置２５０は、センサまたは検出器、通信ユニット、または、検出可能な要素など、更なる要素２６５を備え、以下で、より詳細に記載されている。更なる例示的実施形態において、第２の装置２５０は、キーボード、ハードウェアまたはソフトウェア・ボタン、タッチ・センシティブ・ディスプレイまたは表面、スライダー・コントロールまたはスイッチなど、ユーザ・インタフェース要素２７０を備える。更にまた、第１の装置２００は、更なる例示的実施形態において、例えば、更なるユーザ・インタフェース要素、マイクロフォン、スピーカ、センサまたは、検出器やカメラ・ユニットなど更なる要素（図示せず）を備える。
【００５５】
第２の装置２５０は、たとえば、カバー、ケーシング、ケース、スキンまたはホイル、その他のアクセサリなどの装置１００へのアクセサリである。例示的実施形態において、第２の装置２５０、またはその部分は、第１の装置２００の上に、または、たとえば、スナップ・オンにより、スライドすることにより、磁気により、機械的に、または、その上に伸ばすことにより、それのまわりに置かれるように構成される。例示的実施形態において、第２の装置２５０は、第１の装置１００の上に、または、そのまわりに、第２の装置２５０をアタッチ、ロック、固定する、または、締めつけるように構成される要素（図示せず）を備える。更なる例示的実施形態において、第２の装置２５０は、第２の装置２５０に接続されるか、その上に、または、そのまわりに置かれるように構成された部分、および、閉じた構成において、その装置の上で、または、それのまわりで折られるか、掛けられるか、曲げられるように構成され、異なる開いた方向、構成または位置に折られるか、掛けられるか、曲げられるように構成される部分を備える。開いた構成において、第２の装置２５０は、第１の装置２００を、異なる方向でサポートし、および／または、タッチ・センシティブ・ディスプレイ２１０、および／または、ユーザ・インタフェース要素２７０にアクセスを許すように構成される。更なる例示的実施形態において、第２の装置２５０は、たとえば、その背面に、無線充電コイル２８０、および、例えば、フェライト・シールドなどのシールド要素２９０を備える。
【００５６】
図２ａは、本願発明の例示的実施形態にしたがう、装置を備えるシステムの概略図を示す。ここで、第２の装置２５０は、開いた構成である、すなわち、第１の装置２００および第２の装置２５０を備えるシステムが、本のように開いている。図２ｂ−２ｄは、本願発明の例示的実施形態にしたがう、装置を備えるシステムの更なる概略図を示すここで、第１の装置２００は、異なる開いた構成において、第２の装置２５０を、折りたたむことによって、曲げることによって、あるいは、覆うことによって、異なる向きでサポートされる。
【００５７】
図３は、例示的実施形態の第１の装置３００の概略ブロック図を示す。第１の装置３００は、最初の装置１００、２００として、動作するのに適している。第１の装置３００は、アンテナ３５５、通信インタフェース・モジュール３５０に結合したプロセッサ３４０、および、プロセッサ３４０に結合したメモリ３６０を有する通信インタフェース・モジュール３５０を備える。この装置は、たとえば、一体型ハンドフリー・スピーカ（図示せず）、タッチ感応ディスプレイなどのユーザ・インタフェース（Ｕ／Ｉ）ユニット３１０、および、プロセッサ３４０に結合したアクセサリ検出ユニット３２０を備える入出力（Ｉ／Ｏ）ユニット３３０を更に備える。例示的実施形態において、この検出ユニット３２０は、プロセッサ３４０とは別にインプリメントされるか、または、その一体化部分としてインプリメントされる。および／または、検出ユニットは、ソフトウェアやハードウェアでインプリメントされる。更なる例示的実施形態において、プロセッサ３４０に結合した第１の装置は、カメラ・ユニット３８０、および、例えば、磁力計、ジャイロ、光学センサ、磁性センサ、温度センサおよび／または加速度センサを備える測定ユニット３３５を備える。ターム・センサは、検出器、トランスデューサ、および、更なる測定回路または素子を備えることに留意する。
【００５８】
メモリ３６０は、ワーク・メモリ、および、読取り専用メモリ、フラッシュ・メモリ、光学または磁気メモリなどの不揮発性メモリと、を備える。メモリ３６０において、典型的には、少なくとも、まず最初に、不揮発性メモリにロードされ、プロセッサ３４０により実行されるように動作可能なソフトウェア３７０が格納される。ソフトウェア３７０は、１つ以上のソフトウェアモジュールを含むことができ、そして、メモリ・メディアには格納されたソフトウェアであるコンピュータ・プログラム・プロダクトの形であることができる。例示的実施形態において、メモリ３６０は、接続されていた、または、使用されていた、接続されている、または、接続されることができる、すなわち、第１の装置３００と互換性を持つアクセサリの上のデータ３６５を備える。データ・３６５は、たとえば、データベースまたはルック・アップ・テーブルを備える。データ３６５は、たとえば、パラメータに関する情報、または、各々のアクセサリにしたがって調節する必要がある異なる機能との正規化パラメータを含む。プロセッサ３４０は、データ３６５を読み、そして、それに応じて異なる機能を調整するように構成される。更なる例示的実施形態において、データ３６５は、たとえば、第１の装置３００またはアクセサリのメーカーのサーバのデータベースからパラメータを読み出すことができる情報を含む。
【００５９】
本願明細書におけるいかなるカップリングも、機能的あるいは動作的なカップリングのことであり、明確に他の場合であると記述されない限り、連結された要素の間に、介在コンポーネントまたは回路が存在し得ることが理解されるべきである。
【００６０】
通信インタフェース・モジュール３５０は、１つ以上のローカル・リンクを渡るローカル通信を提供するように構成される。このリンクは、有線および／または無線リンクであることができる。通信インタフェース３５０は、例えば、インターネットを使用して、他のユーザとのリンクを確立すること、または、データ転送に適しているデータ通信リンクを、さらに、または、代替的に、インプリメントすることができる。そのようなデータ通信リンクは、無線ローカル・エリア・ネットワーク・リンク、ブルートゥース、ウルトラ・ワイドバンド、セルラ、または、衛星通信リンクのいずれかを用いたリンクであることができる。通信インタフェース３５０は、第１の装置３００に、または、アダプタまたは、第１の装置３００の適切なスロットまたはポートに挿入できるカードに一体化することができる。図３は１つの通信インタフェース３５０を示しているが、この装置は、複数の通信インタフェース・ユニット３５０を備えることができる。更なる例示的実施形態において、装置３００は、近距離無線通信（ＮＦＣ）ユニットをさらに備える。例示的実施形態において、通信インタフェース・ユニットは、例えば、通信リンクごとに、および／または、使用されるプロトコルごとに別々のアンテナなど、複数のアンテナを備えることができる。
【００６１】
プロセッサ３４０は、たとえば、中央演算処理装置（ＣＰＵ）、マイクロプロセッサ、ディジタル信号処理装置（ＤＳＰ）、グラフィック処理ユニット、特定用途向け集積回路（ＡＳＩＣ）、フィールド・プログラマブル・ゲートアレイ、マイクロコントローラ、または、そのような要素の組合せである。図３は、１つのプロセッサ３４０を示すが、第１の装置３００は、複数のプロセッサを備えることができる。
【００６２】
図４は、例示的実施形態の第２の装置４５０の概略ブロック図を示す。第２の装置４５０は、前記第２の装置１５０、２５０として動作するのに適している。第２の装置４５０は、通信インタフェース・モジュール４９０、通信インタフェース・モジュール４９０に結合したプロセッサ４４０、および、プロセッサ４４０に結合したメモリ４６０を備える。例示的実施形態において、この装置は、プロセッサに結合し、ワイヤレス充電コイル、および、例えば、フェライト・シールドなどのシールド要素を備えるワイヤレス充電ユニット４７５を備える。
【００６３】
この装置は、プロセッサ４４０に結合する接続モジュールまたはユニット４８０を更に備える。例示的実施形態において、この接続ユニットは、第２の装置４５０を第１の装置３００にアタッチするか、接続するように構成され、そして、それらと通信し、および／または、それにアタッチされたとき、第１の装置３００に関係において、第２の装置４５０の向き、あるいは、構成に関する情報を提供するように構成されるコネクタ、パッド、ピン、または、ばねなどの機械的、磁気的および／または電気的要素を備える。例示的実施形態において、この接続モジュール４８０は、ユニバーサル・シリアル（ＵＳＢ）などのインタフェースまたはバスを更に備える。更なる例示的実施形態において、接続モジュール４８０は、例えば、無線自動識別（ＲＦＩＤ）タグ、磁気要素、バーコード、または、クイック応答（ＱＲ）コードなどの適切なセンサまたは通信用インタフェースで検出されるように構成される能動的あるいは受動的な要素を備える。更なる例示的実施形態において、第２の装置４５０は、接続モジュールの機能に加えて、または、代わりに、通信インタフェース・モジュール４９０を通してデバイス３００と通信するように構成される。
【００６４】
例示的実施形態において、図４に示される要素に加えて、第２の装置４５０は、カメラ・ユニット、さらなる入出力（Ｉ／Ｏ）回路、メモリ・チップ、特定用途向け集積回路（ＡＳＩＣ）、ソース符号化／復号化回路、チャネル・コーディング／デコーディング回路、および、暗号化／暗号解読回路などの特定目的のための処理回路など追加的回路と並んで、マイクロフォン、ディスプレイなどの他の要素を備えることができる。加えて、第２の装置４５０は、外部電源が利用可能でないならば、装置に電力供給するための使い捨てまたは充電式電池（図示せず）を含むことができる。更にまた、第２の装置４５０は、更なる例示的実施形態において、図４に示される要素のいくつかのみを備える、または、どれも備えない。更なる例示的実施形態において、第２の装置４５０は、受動素子だけ、たとえば、その機械式構造だけを備える。
【００６５】
メモリ４６０は、ワーク・メモリ、および、読取り専用メモリ、フラッシュ・メモリ、光学または磁気メモリなどの不揮発性メモリと、を備える。メモリ４６０において、典型的には、少なくともまず最初に、不揮発性メモリにロードされ、プロセッサ４４０により実行されるように動作可能なソフトウェア４７０が格納される。ソフトウェア４７０は、１つ以上のソフトウェアモジュールを含むことができ、そしてメモリ・メディアには格納されたソフトウェアであるコンピュータ・プログラム・プロダクトの形であることができる。例示的実施形態において、メモリ４６０は、第２の装置４５０に関してデータ４６５を備える。
【００６６】
通信インタフェース・モジュール４９０は、１つ以上のローカル・リンクを渡るローカル通信を提供するように構成される。このリンクは、有線および／または無線リンクであることができる。通信インタフェース４９０は、例えば、インターネットを使用して、他のユーザとのリンクを確立すること、または、データ転送に適しているデータ通信リンクを、さらに、または、代替的に、インプリメントすることができる。そのようなデータ通信リンクは、無線ローカル・エリア・ネットワーク・リンク、ブルートゥース、超ワイドバンド、セルラ、または、衛星通信リンクのいずれかを用いたリンクであることができる。通信インタフェース４９０は、第２の装置４５０に、または、アダプタ、または、第２の装置４５０の適切なスロットまたはポートに挿入できるカードに一体化することができる。または、図４は１つの通信インタフェース４９０を示しているが、この装置は、複数の通信インタフェース４９０を備えることができる。更なる例示的実施形態において、この第２の装置４５０は、近距離無線通信（ＮＦＣ）ユニットを更に含む。
【００６７】
プロセッサ４４０は、たとえば、中央演算処理ユニット（ＣＰＵ）、マイクロプロセッサ、ディジタル信号処理装置（ＤＳＰ）、グラフィック処理ユニット、特定用途向け集積回路（ＡＳＩＣ）、フィールド・プログラマブル・ゲートアレイ、マイクロコントローラまたは、そのような要素の組合せである。図４は、１つのプロセッサ４４０を示すが、しかし、第２の装置４５０は、複数のプロセッサを備えることができる。
【００６８】
上で述べたように、どんなメモリ３６０、４６０でも、読取り専用メモリ（ＲＯＭ）、プログラマブルＲＯＭ（ＰＲＯＭ）、ＥＰＲＯＭ（消去可能ＰＲＯＭ）、ランダム・アクセス・メモリ（ＲＡＭ）、フラッシュ・メモリ、データ・ディスク、光学ストレージ、磁気ストレージ、または、スマートカードなどの固定揮発性および不揮発性メモリを備えることができる。いくつかの例示的実施形態において、揮発性あるいは不揮発性メモリだけが、第１の装置３００、４５０に存在する。さらに、いくつかの例示的実施形態において、この装置は、複数のメモリを備える。いくつかの例示的実施形態において、種々の要素が、一体化される。たとえば、メモリ３６０、４６０は、第１の装置３００、４５０の一部として構築することができる、または、たとえば、スロットまたはポートに挿入することができる。さらに、また、メモリ３６０、４６０は、データを格納するという唯一の目的にかなうことができ、または、それは、処理データなどの他の目的にかなう装置の一部として構築することができる。同様のオプションは、また、種々の他の要素に対して考えられる。
【００６９】
「装置」という用語が、本願明細書において、種々の範囲で使用されることも、また、理解するために有用である。より広い請求項と実施例のいくつかにおいて、この装置は、図３および図４の中で提示される特徴のサブセットだけを参照することができる、または、図３および図４の特徴のどれもなしで、でさえインプリメントすることができる。例示的実施形態において、「装置」の用語は、プロセッサ３４０、４４０を指す。
【００７０】
図５は、本願発明の実施形態にしたがう方法のフロー・チャートを示す。ステップ５００において、第１の装置１００、２００、３００のプロセッサ３４０は、アクセサリ、すなわち、それに接続される、または、その近傍にある第２の装置１５０、２５０、４５０を検出させるように構成される。例示的実施形態において、第２の装置１５０、２５０、４５０は、ワイヤレス充電ユニット４７５を備える。例示的実施形態において、第１の装置１００、２００、３００のプロセッサ３４０は、物理的または機械的アタッチメントを通して、たとえば、ピン、コネクタ、電磁結合を通して検出ユニット３２０を使用して、または、第２の装置１５０、２５０、４５０における要素を検出することによって、第２の装置１５０、２５０、４５０を検出させるように構成されている。更なる例示的実施形態において、第１の装置１００、２００、３００のプロセッサ３４０は、たとえば、ＲＦＩＤまたはＮＦＣ、ＷＬＡＮ（Ｗｉｒｅｌｅｓｓ  Ｌｏｃａｌ  Ａｒｅａ  Ｎｅｔｗｏｒｋ）、または、ブルートゥースなど短距離ラジオ通信の無線リンクを通して、第２の装置１５０、２５０、４５０を検出させるように構成されている。更なる例示的実施形態において、第１の装置１００、２００、３００のプロセッサ３４０は、第２の装置１５０、２５０、４５０がそれに接続される前に、たとえば、第２の装置１５０、２５０、４５０の上の、または、その販売パッケージの上のコードを読むことによって、または、第２の装置１５０、２５０、４５０を画像化することによって、第２の装置１５０、２５０、４５０を検出させるように構成されている。例示的実施形態において、第１の装置１００、２００、３００のコードは、カメラ・ユニットを使用して読まれる。
【００７１】
更なる例示的実施形態において、第２の装置１５０、２５０、４５０、または、そのワイヤレス充電ユニット４７５は、１つ以上のピンを通して、第１の装置１００、２００、３００に接続した回路を備える。そして、プロセッサ３４０は、検出ユニット３２０を使用している回路の存在を検出することによって、および、例えば、接続ピンの充電立上り時間を測ることによって、または、接続ピンからのＤＣレベルを測定することによって、その回路に起因するその電気量またはチャージを測定することによって、第２の装置１５０、２５０、４５０を検出させるように構成されている。
【００７２】
代替的に、または、ステップ５００に加えて、ステップ５１０において、第１の装置１００、２００、３００のプロセッサ３４０は、アクセサリ、すなわち、第２の装置１５０、２５０、４５０の位置または構成における変化を検出させるように構成される。例示的実施形態において、第２の装置１５０、２５０、４５０は、ワイヤレス充電ユニット４７５を備える。たとえば、そのアクセサリが、異なる位置に調整されたとき、方向または構成が、先のように、図２ａ−図２ｄを参照して、示される。例示的実施形態において、第１の装置１００、２００、３００のプロセッサ３４０は、検出ユニット３２０を使用して、物理的または機械的アタッチメントを通して、たとえば、ピン、コネクタ、電磁結合を通して、または、第２の装置１５０、２５０、４５０における要素を検出することによって、構成、位置または向きの変化を検出させるように構成される。更なる例示的実施形態において、第１の装置１００、２００、３００のプロセッサ３４０は、たとえば、ＲＦＩＤまたはＮＦＣ、ＷＬＡＮ（Ｗｉｒｅｌｅｓｓ  Ｌｏｃａｌ  Ａｒｅａ  Ｎｅｔｗｏｒｋ）、または、ブルートゥースなど短距離ラジオ通信の無線リンクを通して、第２の装置１５０、２５０、４５０を検出させるように構成されている。すなわち、第２の装置１５０、２５０、４５０は、第１の装置１００、２００、３００に、変化を通信する。更なる例示的実施形態において、第１の装置１００、２００、３００のプロセッサ３４０は、更なるセンサを使用して、たとえば、照明の変化を検出することによって、検出すべき要素１６５、２６５の位置を検出することによって、または、カメラ・ユニット３８０で第２の装置１５０、２５０、４５０を画像化することによって、変化を検出させるように構成されている。更なる例示的実施形態において、第１の装置１００、２００、３００のプロセッサ３４０は、その機械的構造を検出することによって、たとえば、容量または抵抗などの電気的量または電気的量の変化を検出することによって、第２の装置１５０、２５０、４５０を検出させるように構成されている。
【００７３】
ステップ５２０において、第１の装置１００、２００、３００のプロセッサ３４０は、検出された第２の装置１５０、２５０、４５０が新規であるかどうか、すなわち、第２の装置１５０、２５０、４５０が、第１の装置１００、２００、３００に以前接続されていたか、それらと共に使用またはペアにされていたかどうかを決定させるように構成される。第２の装置１５０、２５０、４５０が、第１の装置１００、２００、３００に以前アタッチされていなかったならば、第１の装置１００、２００、３００のプロセッサ３４０は、第２の装置１５０、２５０、４５０の上の情報を読み出させるように構成される。例示的実施形態において、第２の装置１５０、２５０、４５０の上の情報を含むデータ４６５は、第２の装置１５０、２５０、４５０のメモリから４７０から読み出される。更なる例示的実施形態において、第２の装置１５０、２５０、４５０に関する情報を読み出すことができる情報を含むデータ４６５は、第２の装置１５０、２５０、４５０のメモリから４７０から読み出される。第１の装置１００、２００、３００のプロセッサ３４０は、第２の装置１５０、２５０、４５０との有線または無線接続を使用するメモリ４７０から情報を読み出させるように構成されている。更なる例示的実施形態において、第２の装置１５０、２５０、４５０のプロセッサ４４０は、第１の装置１００、２００、３００に対して、自動的に、または、要求に基づいて、データ４６５を送信、あるいは、提供するように構成される。
【００７４】
第２の装置１５０、２５０、４５０の上の情報が、メモリ４７０または他のいずれの場所でも利用可能でない場合、第１の装置１００、２００、３００のプロセッサ３４０は、検出ユニット３２０および／または、測定ユニット単位３３５を使用して、自己較正を行うように構成される。この自己較正は、第２の装置１５０、２５０、４５０の上の情報を決定し、そして、第２の装置１５０、２５０、４５０を使用するときに、第１の装置１００、２００、３００の機能を調節するために必要なパラメータを決定する。
【００７５】
ステップ５６０において、第１の装置１００、２００、３００のプロセッサ３４０は、第２の装置１５０、２５０、４５０に関する情報を読み出させた。または、その情報は、第１の装置１００、２００、３００のメモリ３６０において、すでに利用可能であった。例示的実施形態において、読み出された情報は、メモリ３６０のデータ３６５に格納される。この読み出された情報は、第２の装置１５０、２５０、４５０を使用するときに、第１の装置１００、２００、３００の機能を調節するために必要なパラメータを備える。例示的実施形態において、ステップ５６０において、第１の装置１００、２００、３００のプロセッサ３４０は、読み出されたパラメータに加えて、更なる、あるいは、追加的な情報が利用可能かどうかを決定させるように構成される。例示的実施形態において、プロセッサ３４０は、たとえば、照明、外部磁界、ネットワーク接続、または、地理的位置などの周囲状況に関して、測定ユニット３３５から測定データを受信するように、および／または、第１の装置１００、２００、３００の使用のタイプに関する情報を受信するように構成される。例示的実施形態において、第１の装置１００、２００、３００のプロセッサ３４０は、必要に応じて測定データにしたがって、第２の装置１５０、２５０、４５０に関するパラメータを調節するように構成される。例示的実施形態において、たとえば、無線ローカル・エリア・ネットワークの使用は、いくつかの場合において、たとえば、ＬＴＥ（ｌｏｎｇ  ｔｅｒｍ  ｅｖｏｌｕｔｉｏｎ）ネットワークなどのモバイル・ネットワークの使用より、異なる種類の調整を要求する。
【００７６】
ステップ５７０において、第１の装置１００、２００、３００のプロセッサ３４０は、利用可能なパラメータにしたがって、すなわち、接続されている、または、使用されている第２の装置１５０、２５０、４５０に応答して、第１の装置１００、２００、３００の機能を調節するように構成される。アクセサリ、すなわち、第２の装置１５０、２５０、４５０、および、例示的実施形態のワイヤレス充電は、第１の装置１００、２００、３００または、それらの部分の機能に変化を引き起こすことができる。したがって、パラメータは、第１の装置１００、２００、３００または、それらの部分の機能を正規化するために実行される調整に関する情報を含む。例示的実施形態において、第１の装置１００、２００、３００の磁力計は、そのシフトが、ナビゲーション・ベースのアプリケーションまたは機能に影響する可能性があるコンパスの読み取りのシフトを避けるために調節される。更なる例示的実施形態において、アンテナ３５５のチューニングが、使用されるアクセサリに独立した改善された受信のために調節される。更なる例示的実施形態において、第１の装置１００、２００、３００の一体化ハンズフリー・スピーカのイコライゼーションが、調節される。なお更なる例示的実施形態において、例えば、ディスプレイ・パラメータまたはユーザ・インタフェース要素機能などの更なる機能が、調節される。
【００７７】
アクセサリの所与の例示的実施形態に関係するいくつかの使用事例が、以下に提示される。第１の使用事例において、例えば、スマートフォンなどの第１の装置１００、２００、３００のユーザは、ワイヤレス充電機能を有するカバーを装置にアタッチしたいと望む。その装置は、取付けられたカバーを検出し、そして、調整に必要なパラメータを読み出し、そして、ワイヤレス充電コイルとして接続されたカバーに応答して、装置のアンテナ、磁力計、および、ハンドフリー・スピーカの調整を行う。そして、そうでなければ、フェライト・シールドは、外乱を起こし、間違った読み取りとなり得る。
【００７８】
第２の使用事例において、例えば、タブレット・コンピュータなどの第１の装置１００、２００、３００のユーザは、ユーザのタブレット・コンピュータのカバーの位置を、ムービーの最適な視聴のための位置に調整する。その装置は、カバーの向きの変更を検出し、そして、ワイヤレス充電コイルとしての変化した向きに応答して、例えばアンテナ、磁力計、および、この装置の一体化ハンドフリー・スピーカを調節するために必要なパラメータを読み出す。そして、そうでなければ、フェライト・シールドは、外乱を起こし、間違った読み取りとなり得る。ムービーを視聴している間に、最善の可能なユーザ体験を提供するために、パラメータは、さらに調節される。すなわち、ディスプレイおよびスピーカ機能は、照明やオーディオのためのヘッドホンの使用などの周囲状況にしたがって、調節されることになっている。パラメータ調整の後に、機能が調節される。
【００７９】
第３の使用事例において、例えば、タブレット・コンピュータなどの第１の装置１００、２００、３００のユーザは、ユーザのタブレット・コンピュータのカバーの位置を、閉じた構成から開いた構成に調整する。その装置は、カバーの向きの変更を検出し、そして、ワイヤレス充電コイルとして変化した向きに応答して、装置の、例えば、アンテナ、磁力計および一体化ハンドフリー・スピーカを調整するために必要なパラメータを読み出す。そして、そうでなければ、フェライト・シールドは、外乱を起こし、間違った読み取りとなり得る。プロセッサが、ソーシャル・メディアの位置情報とチェックインに基づいて、タブレット・コンピュータが、カフェのオープン・ネットワークにおいて使用されていることを検出すると、パラメータは、最善の可能なユーザ体験、および、セキュリティを提供するために、さらに調節される。すなわち、ディスプレイおよびスピーカ機能と、ネットワーク・セッティングとが、調節される。パラメータ調整の後に、機能が調節される。
【００８０】
第４の使用事例において、例えば、タブレット・コンピュータなどの第１の装置１００、２００、３００のユーザは、ユーザのタブレット・コンピュータのカバーの位置を、電子ブックの最適な読書のための位置に調整する。あるいは、そこに一体化した照明を有するアクセサリをアタッチする。その装置は、カバー、または、更なるアクセサリの向きの変更を検出し、そして、例えばアンテナ、ワイヤレス充電コイルとして変化した向きに応答して、装置の、例えば、アンテナ、磁力計および一体化ハンドフリー・スピーカを調節するために必要なパラメータを読み出す。および、そうでなければ、フェライト・シールドは、外乱を起こし、間違った読み取りとなり得る。電子ブックの読書のための最善の可能なユーザ体験を提供するために、パラメータは、さらに調節される。すなわち、ディスプレイ機能は、周囲照明にしたがって、調節される。パラメータ調整の後に、機能が調節される。
【００８１】
特許請求の範囲における請求項の範囲、解釈、またはアプリケーションをどんな形であれ制限することなく、ここに開示される例の実施形態の１つ以上の技術的な効果は、装置は、その機能に影響することなく異なるアクセサリとともに使用することができることである。ここに開示される例の実施形態の１つ以上の別の技術的な効果は、ワイヤレス充電機能を提供しているアクセサリによって起こされる外乱を補償することである。ここに開示された例示的実施形態のうちの１つ以上の別の技術的な効果は、強化された楽しめるユーザ体験である。
【００８２】
必要に応じて、ここに議論される異なる機能を、異なる順序で、および／または、互いに並行して実行することができる。更にまた、必要に応じて、上記の機能のうちの１つ以上は、オプションでありえ、または、結合することができる。
【００８３】
本願発明の種々の態様が、独立形式の請求項において述べられたけれども、本願発明の他の態様は、独立形式の請求項の特徴を有する記述された実施形態や従属する請求項からの特徴の他の組合せを含み、また、請求項において単に明示的に述べられる組合せだけだけではない。
【００８４】
本願発明の例の実施形態を上で記述しているが、これらの記載は、限定的なものと見られてはならないことにも、また、留意する。むしろ、添付の請求項において定められた本願発明の範囲を逸脱することなく行うことができるいくつかのバリエーションおよび修正が存在する。
【図１ａ】
2016519860.tif 000003
【図１ｂ】
2016519860.tif 000004
【図１ｃ】
2016519860.tif 000005
【図２ａ】
2016519860.tif 000006
【図２ｂ】
2016519860.tif 000007
【図２ｃ】
2016519860.tif 000008
【図２ｄ】
2016519860.tif 000009
【図３】
2016519860.tif 000010
【図４】
2016519860.tif 000011
【図５】
2016519860.tif 000012
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
プロセッサを備える装置であって、該プロセッサは、
前記装置に接続されるワイヤレス充電ユニットを備える第２の装置を検出することと、
前記第２の装置に関するパラメータを決定することと、前記パラメータにしたがって、前記装置の少なくとも１つの機能を自動的に調整することと、
をさせるように構成される、
装置。
【請求項２】
前記装置は、磁力計を更に備え、前記調整することは、該磁力計を調整することを含む、請求項１に記載の装置。
【請求項３】
前記装置は、アンテナを更に備え、前記調整することは、該アンテナをチューニングすることを含む、請求項１又は２に記載の装置。
【請求項４】
前記装置は、スピーカを更に備え、前記調整することは、前記スピーカを調整することを含む、請求項１ないし３のいずれか１項に記載の装置。
【請求項５】
前記検出することは、前記第２の装置から前記パラメータを受信することを含む、請求項１ないし４のいずれか１項に記載の装置。
【請求項６】
前記検出することは、測定ユニットから測定情報を受信することを含む、請求項１ないし５のいずれか１項に記載の装置。
【請求項７】
前記検出することは、電気的量を検出することを含む、請求項１ないし６のいずれか１項に記載の装置。
【請求項８】
前記検出することは、コードを読むことを含む、請求項１ないし７のいずれか１項に記載の装置。
【請求項９】
前記決定することは、自己較正を含む、請求項１ないし８のいずれか１項に記載の装置。
【請求項１０】
前記決定することは、測定データに基づいて、前記パラメータを調整することを更に含む、請求項１ないし９のいずれか１項に記載の装置。
【請求項１１】
携帯電話、スマートフォン、タブレット・コンピュータ、または、電子ブック・リーダを備える請求項１ないし１０のいずれか１項に記載の装置。
【請求項１２】
メモリと、ワイヤレス充電ユニットとを備える第２の装置であって、前記メモリは、前記第２の装置に関するパラメータを含み、前記第２の装置は、請求項１ないし１１のいずれか１項に記載の装置に接続されるように構成される、を備える第２の装置。
【請求項１３】
前記第２の装置は、前記第２の装置を、請求項１ないし１０のいずれか１項に記載の装置に接続するように構成された接続ユニットを更に備える、請求項１２に記載の第２の装置。
【請求項１４】
プロセッサを備える第１の装置に接続されたワイヤレス充電ユニットを備える第２の装置を、該プロセッサにより、検出するステップと、
前記第２の装置に関するパラメータを、前記プロセッサにより、決定するステップと、
前記パラメータにしたがって、前記第１の装置の少なくとも１つの機能を、前記プロセッサにより、自動的に調整するステップと、を含む方法。
【請求項１５】
前記調整するステップは、前記第１の装置の磁力計を、前記プロセッサにより、調整することを含む、請求項１４に記載の方法。
【請求項１６】
前記決定するステップは、自己較正を含む、請求項１４又は１５に記載の方法。
【請求項１７】
前記決定するステップは、測定データに基づいて、前記パラメータを、前記プロセッサにより、調整することを更に含む、請求項１４ないし１６のいずれか１項に記載の方法。
【請求項１８】
前記第１の装置は、携帯電話、スマートフォン、タブレット・コンピュータ、または、電子ブック・リーダを備える、請求項１４ないし１７のいずれか１項に記載の方法。
【請求項１９】
前記第２の装置を前記第１の装置に接続すること、および／または、前記第２の装置を前記第１の装置と、前記プロセッサにより、ペアにすることを更に備える請求項１４ないし１８のいずれか１項に記載の方法。
【請求項２０】
前記プロセッサによって実行されるときに、請求項１４ないし１９のいずれか１項に記載の方法を実行させるためのコンピュータ・コードを備えるコンピュータ・プログラム。
【国際調査報告】
2016519860.tif 000013
2016519860.tif 000014
2016519860.tif 000015
2016519860.tif 000016
2016519860.tif 000017